【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
タスク項目としての認識のためにデータ項目にマークを付けるための方法であって、
データ項目にタスクフラグ設定コントロールを関連付けるステップと、
前記タスクフラグ設定コントロールの選択を受け取るステップであって、前記データ項目に隣接するクイックフラグボックス経由でアクセスされるコンテキストメニューからの選択を受け取る処理を含むステップと、
前記タスクフラグ設定コントロールの選択を受け取ったことに応答して、前記データ項目に少なくとも１つのプロパティを自動的に適用して、前記データ項目を、ユーザにより完了するタスクに対応するタスク項目として認識されることが可能であるようにするステップと
を含むことを特徴とする方法。
【請求項２】
前記タスク項目をタスク項目のリストの中に格納するステップをさらに含むことを特徴とする請求項１に記載の方法。
【請求項３】
タスク項目の前記リストをタスクリストユーザインターフェース内で表示するステップをさらに含むことを特徴とする請求項２に記載の方法。
【請求項４】
前記データ項目に少なくとも１つのプロパティを自動的に適用して、前記データ項目がタスクとして認識されることが可能であるようにするステップは、前記データ項目に開始日プロパティを適用するステップを含むことを特徴とする請求項１に記載の方法。
【請求項５】
前記データ項目に開始日プロパティを適用するステップは、１つまたは複数の開始日プロパティを含むコンテキストメニューから前記開始日プロパティを適用するステップを含むことを特徴とする請求項４に記載の方法。
【請求項６】
前記タスクフラグ設定コントロールを、前記データ項目に適用された前記開始日プロパティを識別するための視覚的アイコンでポピュレートするステップをさらに含むことを特徴とする請求項４に記載の方法。
【請求項７】
前記データ項目に既定の開始日プロパティを自動的に適用するステップをさらに含むことを特徴とする請求項１に記載の方法。
【請求項８】
前記データ項目に少なくとも１つのプロパティを自動的に適用して、前記データ項目がタスクとして認識されることが可能であるようにするステップは、前記データ項目にタスクカテゴリプロパティを適用するステップを含むことを特徴とする請求項１に記載の方法。
【請求項９】
前記データ項目にタスクカテゴリプロパティを適用するステップは、１つまたは複数のタスクカテゴリプロパティを含むコンテキストメニューから前記タスクカテゴリプロパティを適用するステップを含むことを特徴とする請求項８に記載の方法。
【請求項１０】
前記タスクフラグ設定コントロールを、前記データ項目に適用された前記タスクカテゴリプロパティを識別するための視覚的識別子でポピュレートするステップをさらに含むことを特徴とする請求項８に記載の方法。
【請求項１１】
前記タスクフラグ設定コントロールを、前記データ項目に適用された前記タスクカテゴリプロパティを識別するための視覚的識別子でポピュレートするステップは、前記タスクフラグ設定コントロールを、前記タスク項目に適用された前記タスクカテゴリプロパティに関連する固有色でポピュレートするステップを含むことを特徴とする請求項１０に記載の方法。
【請求項１２】
前記データ項目に少なくとも１つのプロパティを自動的に適用して、前記データ項目がタスクとして認識されることが可能であるようにするステップは、前記データ項目に既定のタスクカテゴリプロパティを適用するステップを含むことを特徴とする請求項１に記載の方法。
【請求項１３】
タスク項目としての認識のためにデータ項目にマークを付けるための方法をコンピュータにより実行するコンピュータ実行可能命令を含むことを特徴とするコンピュータ可読媒体であって、前記コンピュータ実行可能命令は、
データ項目にタスクフラグ設定コントロールを関連付けるステップと、
前記タスクフラグ設定コントロールの選択を受け取るステップであって、前記データ項目に隣接するクイックフラグボックス経由でアクセスされるコンテキストメニューからの前記選択を受け取る処理を含むと、
前記タスクフラグ設定コントロールの選択を受け取ったことに応答して、前記データ項目に少なくとも１つのプロパティを自動的に適用して、前記データ項目がタスク項目として認識されることが可能であるようにするステップとを含むことを特徴とするコンピュータ可読媒体。
【請求項１４】
前記タスク項目をタスク項目のリストの中に格納するステップをさらに含むことを特徴とする請求項１３に記載のコンピュータ可読媒体。
【請求項１５】
タスク項目の前記リストをタスクリストユーザインターフェース内で表示するステップをさらに含むことを特徴とする請求項１４に記載のコンピュータ可読媒体。
【請求項１６】
前記データ項目に少なくとも１つのプロパティを自動的に適用して、前記データ項目がタスクとして認識されることが可能であるようにするステップは、前記データ項目に開始日プロパティを適用するステップを含むことを特徴とする請求項１３に記載のコンピュータ可読媒体。
【請求項１７】
前記データ項目に開始日プロパティを適用するステップは、１つまたは複数の開始日プロパティを含むコンテキストメニューから前記開始日プロパティを適用するステップを含むことを特徴とする請求項１６に記載のコンピュータ可読媒体。
【請求項１８】
前記タスクフラグ設定コントロールを、前記作成されたタスク項目に適用された前記開始日プロパティを識別するための視覚的アイコンでポピュレートするステップをさらに含むことを特徴とする請求項１６に記載のコンピュータ可読媒体。
【請求項１９】
前記データ項目に少なくとも１つのプロパティを自動的に適用して、前記データ項目がタスクとして認識されることが可能であるようにするステップは、前記データ項目にタスクカテゴリプロパティを適用するステップを含むことを特徴とする請求項１３に記載のコンピュータ可読媒体。
【請求項２０】
前記データ項目にタスクカテゴリプロパティを適用するステップは、１つまたは複数のタスクカテゴリプロパティを含むコンテキストメニューから前記タスクカテゴリプロパティを適用するステップを含むことを特徴とする請求項１９に記載のコンピュータ可読媒体。
【請求項２１】
前記タスクフラグ設定コントロールを、前記データ項目に適用された前記タスクカテゴリプロパティを識別するための視覚的識別子でポピュレートするステップをさらに含むことを特徴とする請求項２０に記載のコンピュータ可読媒体。
【請求項２２】
前記タスクフラグ設定コントロールを、前記作成されたタスク項目に適用された前記タスクカテゴリプロパティを識別するための視覚的識別子でポピュレートするステップは、前記タスクフラグ設定コントロールを、前記データ項目に適用された前記タスクカテゴリプロパティに関連する固有色でポピュレートするステップを含むことを特徴とする請求項２０に記載のコンピュータ可読媒体。
【請求項２３】
前記データ項目に少なくとも１つのプロパティを自動的に適用して、前記データ項目がタスクとして認識されることが可能であるようにするステップは、前記データ項目に既定のタスクカテゴリプロパティを適用するステップを含むことを特徴とする請求項１３に記載のコンピュータ可読媒体。
【請求項２４】
タスク項目としての認識のためにデータ項目にマークを付けるための方法であって、
ユーザインターフェース内に表示されたデータ項目にタスクフラグ設定コントロールを関連付けるステップと、
前記タスクフラグ設定コントロールの選択を受け取るステップであって、前記データ項目に隣接するクイックフラグボックス経由でアクセスされるコンテキストメニューからの前記選択を受け取る処理を含むと、
前記タスクフラグ設定コントロールの選択を受け取ったことに応答して、前記データ項目に少なくとも１つのプロパティを自動的に適用して、前記データ項目がタスク項目として認識されることが可能であるようにするステップと、
前記タスクフラグ設定コントロールの第２の選択を受け取ったことに応答して、前記データ項目に適用するための１つまたは複数のタスクプロパティの選択を受け取るステップと、
前記データ項目への前記１つまたは複数のタスクプロパティの適用を示すために、前記タスクフラグ設定コントロールに視覚的識別子を適用するステップと
を含むことを特徴とする方法。
【請求項２５】
前記タスク項目をタスク項目のリストの中に格納するステップをさらに含むことを特徴とする請求項２４に記載の方法。
【請求項２６】
タスク項目の前記リストをタスクリストユーザインターフェース内で表示するステップをさらに含むことを特徴とする請求項２５に記載の方法。
【請求項２７】
前記タスクフラグ設定コントロールの選択を受け取るステップは、前記データ項目に適用するための開始日プロパティを受け取るステップを含むことを特徴とする請求項２４に記載の方法。
【請求項２８】
前記データ項目に適用するための開始日プロパティを受け取るステップは、１つまたは複数の開始日プロパティを含むコンテキストメニューから前記開始日プロパティを受け取るステップを含むことを特徴とする請求項２７に記載の方法。
【請求項２９】
前記タスクフラグ設定コントロールを、前記データ項目に適用された前記開始日プロパティを識別するための視覚的アイコンでポピュレートするステップをさらに含むことを特徴とする請求項２７に記載の方法。
【請求項３０】
前記タスクフラグ設定コントロールの選択を受け取るステップは、前記データ項目に適用するためのタスクカテゴリプロパティを受け取るステップを含むことを特徴とする請求項２４に記載の方法。
【請求項３１】
前記データ項目に適用するためのタスクカテゴリプロパティを受け取るステップは、１つまたは複数のタスクカテゴリプロパティを含むコンテキストメニューから前記タスクカテゴリプロパティを受け取るステップを含むことを特徴とする請求項３０に記載の方法。
【請求項３２】
タスク項目としての認識のためにデータ項目にマークを付けるための方法をコンピュータにより実行するコンピュータ実行可能命令を含むコンピュータ可読媒体であって、
前記コンピュータ実行可能命令は、
ユーザインターフェース内に表示されたデータ項目にタスクフラグ設定コントロールを関連付けるステップと、
前記タスクフラグ設定コントロールの選択を受け取るステップであって、前記データ項目に隣接するクイックフラグボックス経由でアクセスされるコンテキストメニューからの前記選択を受け取る処理を含むと、
前記タスクフラグ設定コントロールの選択を受け取ったことに応答して、前記データ項目に少なくとも１つのプロパティを自動的に適用して、前記データ項目がタスク項目として認識されることが可能であるようにするステップと、
前記タスクフラグ設定コントロールの第２の選択を受け取ったことに応答して、前記データ項目に適用するための１つまたは複数のタスクプロパティの選択を受け取るステップと、
前記データ項目への前記１つまたは複数のタスクプロパティの適用を示すために、前記タスクフラグ設定コントロールに視覚的識別子を適用するステップと
を含むことを特徴とするコンピュータ可読媒体。
【請求項３３】
前記タスク項目をタスク項目のリストの中に格納するステップをさらに含むことを特徴とする請求項３２に記載のコンピュータ可読媒体。
【請求項３４】
タスク項目の前記リストをタスクリストユーザインターフェース内で表示するステップをさらに含むことを特徴とする請求項３２に記載のコンピュータ可読媒体。
【請求項３５】
前記タスクフラグ設定コントロールの選択を受け取るステップは、前記データ項目に適用するための開始日プロパティを受け取るステップを含むことを特徴とする請求項３２に記載のコンピュータ可読媒体。
【請求項３６】
前記データ項目に適用するための開始日プロパティを受け取るステップは、１つまたは複数の開始日プロパティを含むコンテキストメニューから前記開始日プロパティを受け取るステップを含むことを特徴とする請求項３５に記載のコンピュータ可読媒体。
【請求項３７】
前記タスクフラグ設定コントロールを、前記データ項目に適用された前記開始日プロパティを識別するための視覚的アイコンでポピュレートするステップをさらに含むことを特徴とする請求項３６に記載のコンピュータ可読媒体。
【請求項３８】
前記タスクフラグ設定コントロールの選択を受け取るステップは、前記データ項目に適用するためのタスクカテゴリプロパティを受け取るステップを含むことを特徴とする請求項３２に記載のコンピュータ可読媒体。
【請求項３９】
前記データ項目に適用するためのタスクカテゴリプロパティを受け取るステップは、１つまたは複数のタスクカテゴリプロパティを含むコンテキストメニューから前記タスクカテゴリプロパティを受け取るステップを含むことを特徴とする請求項３８に記載のコンピュータ可読媒体。